(57)【要約】【課題】外軸の長さに対して相対的に長さの長い芯を使用するときにも、芯の補充時に芯折れの心配がなく、芯の補充も容易に行うことができるシャープペンシルとする。【解決手段】芯送り出し機構１６が内蔵された外軸１０と、外軸１０に対して軸方向に移動可能に且つ分離可能となったノック軸１２とからなり、ノック軸１２を外軸１０に対して軸方向に移動させることにより、外軸１０の先端から芯Ｌが送り出されるシャープペンシルにおいて、芯送り出し機構１６を構成する芯タンク２０の後端が外軸１０の後端開口１０ｄより後方に突出され、芯タンク２０の外周面に連結されて芯タンク２０の後部の外周面を包囲する中軸１４が設けられ、中軸１４の先端は外軸１０の後端開口から外軸１０の内周面と芯タンク２０の外周面との間の環状空間内に挿入され、中軸１４の後部にノック軸１２が着脱可能に連結される。【選択図】　図１
2004066555.tif 000002
【特許請求の範囲】
【請求項１】
芯送り出し機構が内蔵された外軸と、外軸に対して軸方向に移動可能に且つ分離可能となったノック軸とを有し、ノック軸を外軸に対して軸方向に移動させることにより芯送り出し機構が作動し、外軸の先端から芯が送り出されるシャープペンシルにおいて、
前記芯送り出し機構を構成する芯タンクの後部が外軸の後端開口より後方に突出され、芯タンクの外周面に連結されて芯タンクの後部の外周面を包囲する中軸が設けられ、中軸の先端は前記外軸の後端開口から外軸の内周面と芯タンクの外周面との間に挿入されると共に、中軸の後部に前記ノック軸が着脱可能に連結されることを特徴とするシャープペンシル。
【請求項２】
前記中軸とノック軸とは相対回転不能に連結されると共に、中軸の先端は外軸に対して相対回転不能に挿入されることを特徴とする請求項１記載のシャープペンシル。
【発明の詳細な説明】
【０００１】
【発明の属する技術分野】
本発明は、シャープペンシルに関する。
【０００２】
【従来の技術】
従来、芯送り出し機構が内蔵された外軸と、外軸に対して軸方向に移動可能に且つ分離可能となったノック軸とからなり、ノック軸を外軸に対して軸方向に移動させることにより、外軸の先端から芯が送り出されるシャープペンシルが知られている。このようなシャープペンシルにおいて、ノック軸を外軸に対して軸方向に移動させ、即ちノックすることにより、芯送り出し機構が作動されて、芯が所定量づつ送り出されて、外軸の先端から芯が突出するようになっている。また、芯送り出し機構内にある予備の芯が無くなったときまたは少なくなったときには、ノック軸を外軸に対して分離することにより、外軸の後端開口が開放されて、その後方から芯を、芯送り出し機構へと補充することができる。
【０００３】
【発明が解決しようとする課題】
ところで、上記公知のシャープペンシルにおいて、外軸の長さに対して相対的に長さの長い芯を使用したとき、換言すれば、芯の長さに対して相対的に外軸の短い外軸を使用したときには、予備または使用中の芯の全長が外軸に収まりきらないことになる。この場合には、芯の後部が外軸から突出してしまうので、ノック軸を外軸に対して分離したときに、芯の後部が外軸から露出して、芯折れなどが生ずるという問題がある。
【０００４】
このため、芯送り出し機構の芯タンクを外軸よりも後方に伸ばして、芯のみが後部に露出せずに、芯を収容する芯タンクが外軸から露出するようにして、芯のみが露出することを防ぐこともできる。
【０００５】
しかしながら、芯タンクの外径は、外軸の内径よりも小さく径方向に遊びがあり、外軸に対して遊び分だけ可動するために、芯を芯タンクに補充しようとするときに、芯タンクが動いて、芯をうまく芯タンク内へと挿入することができず、場合によっては芯タンクに引っ掛かって芯が折れたりする虞があるという問題がある。
【０００６】
本発明は、かかる課題に鑑みなされたもので、外軸の長さに対して相対的に長さの長い芯を使用するときにも、芯の補充時に芯折れの心配がなく、芯の補充も容易に行うことができるシャープペンシルを提供することをその目的とする。
【０００７】
【課題を解決するための手段】
上記目的を達成するために、請求項１記載の発明は、芯送り出し機構が内蔵された外軸と、外軸に対して軸方向に移動可能に且つ分離可能となったノック軸とを有し、ノック軸を外軸に対して軸方向に移動させることにより芯送り出し機構が作動し、外軸の先端から芯が送り出されるシャープペンシルにおいて、
前記芯送り出し機構を構成する芯タンクの後部が外軸の後端開口より後方に突出され、芯タンクの外周面に連結されて芯タンクの後部の外周面を包囲する中軸が設けられ、中軸の先端は前記外軸の後端開口から外軸の内周面と芯タンクの外周面との間に挿入されると共に、中軸の後部に前記ノック軸が着脱可能に連結されることを特徴とする。
【０００８】
外軸に対して芯の長さが長い場合であっても、ノック軸を外軸に対して分離させたときに、芯タンクの後部が外軸の後端開口よりも突出しており、さらに、中軸がその芯タンクの後部の外周面を包囲しているために、芯が単独で外軸から露出されることはなく、芯折れを防止することができる。
【０００９】
さらには、ノック軸を外軸に対して分離させて、芯を芯タンクに補充しようとしたときに、外軸の内周面と芯タンクの外周面との間に先端が挿入された中軸によって芯タンクが保持されて不用意に動くことが防止されるので、容易に芯を芯タンク内に補充することができる。
【００１０】
請求項２記載の発明は、請求項１記載のものにおいて、前記中軸とノック軸とが相対回転不能に連結されると共に、中軸の先端は外軸に対して相対回転不能に挿入されることを特徴とする。これにより、結果として、ノック軸と外軸との間の相対的な周方向位置を規制することができる。
【００１１】
【発明の実施の形態】
以下、図面を用いて本発明の実施の形態を説明する。
【００１２】
図１は、本発明のシャープペンシルの縦断面図である。シャープペンシルは、主として、外軸１０、ノック軸１２及び中軸１４を有しており、外軸１０内には、芯送り出し機構１６が内蔵されている。芯送り出し機構１６は、公知のように、芯Ｌを収容する芯タンク２０と、その後端が芯タンク２０内に圧入されその前端部で芯Ｌを締め付けるようになった芯締付チャック２２と、芯締付チャック２２の外周側にあって芯締付チャック２２を締め付ける為のチャックリング２４と、チャックリング２４の後方への移動を規制するスリーブ２６と、スリーブ２６と芯タンク２０の前端との間に介挿されて、芯タンク２０及び芯締付チャック２２を常時後方へと付勢するチャックスプリング２８と、を備えている。スリーブ２６に形成された弾性羽根部２６ａが外軸１０に形成された開口１０ａに係止されて、芯送り出し機構１６が外軸１０内で保持される。
【００１３】
芯タンク２０の後端は、外軸１０の全長よりも長い芯を収容することができるよう、外軸１０の後端開口１０ｄよりも突出して伸びている。そして、外軸１０の後部の内周面と芯タンク２０の後部の外周面との間の環状空間内には、中軸１４の先端が挿入されて、該環状空間に嵌合している。
【００１４】
図２に示すように、中軸１４の前部の外周面には、複数の前部リブ１４ａが周方向に離間されて形成されており、この前部リブ１４ａが、外軸１０の後部の内周面に形成された縦溝１０ｂに嵌入され、従って、中軸１４の前部は外軸１０に対して相対回転不能に且つ軸方向に移動可能な状態で外軸１０内に挿入される。
また、中軸１４の前部リブ１４ａが形成された部分よりやや後方の中軸１４の前部には、その内周面に内方に突出する突起１４ｂが形成されると共に、その周面に貫通孔１４ｃが形成されている。この貫通孔１４ｃによって突起１４ｂは径方向に弾性変位可能となっており、突起１４ｂが芯タンク２０の外周面に弾接され、中軸１４は芯タンク２０の後端に圧入されて、芯タンク２０に連結される。
【００１５】
また、中軸１４の後部の外周面には、複数の後部リブ１４ｄが周方向に離間されて形成されており、この後部リブ１４ｄが、ノック軸１２の後部に形成された縦溝１２ａに嵌入され、従って、中軸１４の後部はノック軸１２に対して相対回転不能な状態となっている。また、中軸１４の後部リブ１４ｄが形成された部分よりやや前方の中軸１４の後部には、その外周面に外方に突出する突起１４ｅが形成されると共に周面には貫通孔１４ｆが形成されている。この貫通孔１４ｆによって突起１４ｅは径方向に弾性変位可能となっており、突起１４ｅがノック軸１２の内周面に弾接され、中軸１４はノック軸１２に連結される。この中軸１４とノック軸１２との間の結合力は、中軸１４と芯タンク２０との間の結合力よりも弱く設定されて、中軸１４とノック軸１２とは着脱可能となるように設定される。
【００１６】
ノック軸１２には、その外側面に一体にクリップ１２ｂが形成され、また、その後部には、消しゴム１３を受ける消しゴム受部１２ｃが形成されている。
【００１７】
中軸１４は、それぞれ外軸１０及びノック軸１２と相対回転不能となっているために、中軸１４を介して外軸１０とノック軸１２との周方向の相対的位置関係が常に、所定の位置関係に規制される。より具体的には、外軸１０の前部の外周面には、周方向に離間して複数の意匠部１０ｃが形成されており（図４）、この意匠部１０ｃの周方向位置と縦溝１０ｂの周方向位置とを所定の関係に設定し、同様に、中軸１４の前部リブ１４ａの周方向位置と後部リブ１４ｄの周方向位置とを所定の関係に設定し、さらにノック軸１２の縦溝１２ａの周方向位置とクリップ１２ｂとの周方向位置とを所定の関係に設定しておくことにより、どのように中軸１４を芯タンク２０と連結し、且つどのようにノック軸１２を中軸１４に対して連結しようとも、例えば、この意匠部１０ｃとクリップ１２ｂとが必ず同一線上になるように設定することができる（図５）。
【００１８】
以上のように構成されるシャープペンシルにおいて、中軸１４は、芯タンク２０と共に、外軸１０の後端よりも後方へと突出しており、収容する芯Ｌの長さに合ったものとなっている。そして、通常時には、中軸１４の後部は、ノック軸１２内へと挿入されるために、芯Ｌの後部はノック軸１２内にまで伸びていることになる。この状態で、ノック軸１２を外軸１０に対して軸方向に移動させて、即ち、ノック軸１２をノックすると、ノック軸１２と共に、中軸１４及び芯タンク２０が移動し、芯タンク２０に連結された芯締付チャック２２がチャックスプリング２８の付勢力に抗して前進し、ノック軸１２をノック力から解放すると芯締付チャック２２が元の位置に戻り、この一連の動作により、公知の如く芯Ｌが所定量繰り出される。
【００１９】
芯Ｌを補充する必要があるときには、ノック軸１２を外軸１０に対して分離させるべく、外軸１０と反対の方向に引っ張ると、ノック軸１２と中軸１４間の結合力が、中軸１４と芯タンク２０間の結合力よりも小さいために、ノック軸１２だけが外れて、図６に示す状態となる。この状態においては、外軸１０の後端開口１０ｄから、中軸１４及び芯タンク２０が後方へと突出しており、芯タンク２０にまだ芯が残っている場合であっても、外軸１０よりも後方に突出する芯Ｌの後部を中軸１４及び芯タンク２０が保護している。さらには、芯タンク２０は中軸１４に包囲されており、中軸１４の前部は、芯タンク２０と外軸１０との間の環状空間に挿入されて、芯タンク２０を保持する役割を果たすために、芯タンク２０が不用意に動くことはなく、従って、芯Ｌを容易に芯タンク２０内に補充することができる。
【００２０】
芯Ｌの補充が終わると、ノック軸１２を中軸１４に再び連結する。このときに、ノック軸１２の内周面に形成された縦溝１２ａの前端は、前方に向かって漸次溝幅が広くなったテーパ状となっているために、適当な周方向位置でノック軸１２内に中軸１４を挿入しても、中軸１４の後部リブ１４ｄが縦溝１２ａのテーパ状部分によって、縦溝１２ａの奥へと誘導されるので、必ず、後部リブ１４ｄを縦溝１２ａに嵌合させることができる。
【００２１】
【発明の効果】
以上説明したように、本発明によれば、外軸に対して芯の長さが長い場合であっても、ノック軸を外軸に対して分離させたときに、芯が単独で外軸から露出されることはなく、芯折れを防止することができる。また、芯タンクに補充しようとしたときに、外軸の内周面と芯タンクの外周面との間に先端が挿入された中軸によって芯タンクが保持されて不用意に動くことが防止されるので、容易に芯を芯タンク内に補充することができる。
【図面の簡単な説明】
【図１】本発明のシャープペンシルの縦断面図である。
【図２】（ａ）は中軸の側面図、（ｂ）は中軸の縦断面図である。
【図３】ノック軸の縦断面図である。
【図４】図１の４−４線に沿って見た断面図である。
【図５】図１の平面図である。
【図６】ノック軸を取りはずした状態を表す縦断面図である。
【符号の説明】
１０　外軸
１２　ノック軸
１４　中軸
１６　芯送り出し機構
２０　芯タンク
【図１】
2004066555.tif 000003
【図２】
2004066555.tif 000004
【図３】
2004066555.tif 000005
【図４】
2004066555.tif 000006
【図５】
2004066555.tif 000007
【図６】
2004066555.tif 000008